(57)【要約】  気泡コンクリート複合建材（１３）は、平行で、且つ互いに間隔を有して配置された複数の組み込まれた支持構造部材（２）を含む。支持構造部材（２）は、建材（１３）の平面に対して横切る方向に延びるリブ（４）を有し、各リブは、該リブ（４）の平面から同じ方向に曲がり、建材（１３）の隣接する外面に対して平行またはほぼ平行に延びる支持構造リムを有する。支持構造部材（２）の支持構造リムは、該支持構造リムの長さにわたって並設されて延びる気泡コンクリート層（１４，１５）内に鋳造されている。【選択図】図４
2020509270.tif 000002
【特許請求の範囲】
【請求項１】
平行で、且つ互いに間隔を有して配置された複数の支持構造部材（２）が組み込まれた気泡コンクリート複合建材であって、
前記支持構造部材（２）は、前記気泡コンクリート複合建材（１，１０，１３，１７，２３，２６，２９，３２）の平面に対して横切る方向に延びるリブ（４）を有し、
前記リブは、それぞれ、前記リブ（４）の平面から同じ方向に曲がり、隣接する前記気泡コンクリート複合建材（１，１０，１３，１７，２３，２６，２９，３２）の外面に対して平行、またはほぼ平行に延びる支持構造リム（５，５．１）を有し、
前記支持構造部材（２）の前記支持構造リム（５，５．１）は、前記支持構造リム（５，５．１）の長さにわたって並設されて延びる気泡コンクリート層（３，１１，１２，１４，１５，１８，１９，３３）内に鋳造されている、気泡コンクリート複合建材。
【請求項２】
前記支持構造部材（２）の前記支持構造リム（５，５．１）は、どちらも、１つの気泡コンクリート層（３，１１，１２，１４，１５，１８，３３）内に完全に鋳造されていることを特徴とする、請求項１に記載の建材。
【請求項３】
前記気泡コンクリート層は、１６００ｋｇ／ｍ３未満の平均バルク密度を有することを特徴とする、請求項１または請求項２に記載の建材。
【請求項４】
前記支持構造リム（５，５．１）は、他の支持構造リム（５，５．１）の方向に窪み、前記支持構造部材（２）の長手延長方向に沿って延びる少なくとも１つの窪んだ結合溝（７，７．１）を有することを特徴とする、請求項１から請求項３のいずれか一項に記載の建材。
【請求項５】
前記少なくとも１つの結合溝（７，７．１）は、両側においてアンダーカットされていることを特徴とする、請求項４に記載の建材。
【請求項６】
前記リブ（４）は、前記支持構造部材（２）の長手方向の延長に沿う少なくとも１つの結合溝（９）を有することを特徴とする、請求項１から請求項５のいずれか一項に記載の建材。
【請求項７】
前記リブ（４）の前記結合溝（９）は、前記リブ（４）内において、前記曲げられた支持構造リム（５，５．１）の方向に形成されていることを特徴とする、請求項６に記載の建材。
【請求項８】
前記リブおよび／または前記支持構造リムは、前記支持構造部材の長手方向の延長に対して横切って作用する結合構造を保持していることを特徴とする、請求項１から請求項７のいずれか一項に記載の建材。
【請求項９】
前記気泡コンクリート層は、少なくとも２つの気泡コンクリートシェル（１１，１２，１４，１５，１８，１９）から形成され、
各支持構造リム（５，５．１）は、別個の気泡コンクリートシェル（１１，１２，１４，１５，１８，１９）内に鋳造されていることを特徴とする、請求項１から請求項７のいずれか一項に記載の建材。
【請求項１０】
２つの気泡コンクリートシェル（１４，１５）は、互いに離間して配置されていることを特徴とする、請求項８に記載の建材。
【請求項１１】
前記２つの気泡コンクリートシェル（１４，１５）の間に、堅い遮断材層（１６）が配置されていることを特徴とする、請求項９に記載の建材。
【請求項１２】
前記２つの気泡コンクリートシェルのバルク密度が異なることを特徴とする、請求項８から請求項１０のいずれか一項に記載の建材。
【請求項１３】
１つの気泡コンクリートシェルのバルク密度が、他の気泡コンクリートシェルのバルク密度よりも３０から５０％高いことを特徴とする、請求項１１に記載の建材。
【請求項１４】
前記建材（２３）は、背中合わせになっており、且つ隣接する支持構造部材（２）への隔たりよりも小さい間隔で互いに離間した、少なくとも２つの支持構造部材（２）を有し、
前記２つの支持構造部材（２）のリブは、解放部（２４）を横切るボルト（２５）によって互いに結合されていることを特徴とする、請求項９または請求項１０に記載の建材。
【請求項１５】
結合溝（７．１）の少なくともいくつかの内に、パイプホルダーといったホルダー（２１）が固定されていることを特徴とする、請求項３または請求項４に記載の建材。
【請求項１６】
建材（１７，２９）は、支持構造部材（２）の長手延長方向において、均一に撓んでいることを特徴とする、請求項１から請求項１５のいずれか一項に記載の建材。
【請求項１７】
前記撓んだ建材（１７）の下側頂点の、前記建材の両端部を結んだ仮想線からの距離は、Ｌ／２００の値に相当し、ここで、Ｌは、前記支持構造部材（２）の長手延長方向における前記建材（１７）の長さであることを特徴とする、請求項１６に記載の建材。
【請求項１８】
前記建材は、階段建材（３２）として製作されており、お互いに間隔を置いて配置された２つの支持構造部材対（３４）を有し、
前記支持構造部材対の支持構造部材（２）は、互いに背中合わせになっており、互いに間隔を置いて配置されており、
１つの支持構造部材対（３４）の前記支持構造部材（２）の間には、階段の段（３６）の高さの間隔で、階段の段支持部材（３５）が配置され、且つ前記支持構造部材（２）に結合されていることを特徴とする、請求項１から請求項９のいずれか一項に記載の建材。
【請求項１９】
前記階段の段支持部材（３５）の解放端には、前記階段建材（３２）の幅にわたって延びる階段の段エッジ保護部材（３７）が設けられていることを特徴とする、請求項１８に記載の建材。
【発明の詳細な説明】
【技術分野】
【０００１】
本発明は、気泡コンクリート複合建材に関する。
【背景技術】
【０００２】
建物の建築のために、板状の壁および／または天井建材がプレハブ部品として使用されている。壁または天井建材として設計された複数のそのようなプレハブ建材は、対応して互いに同一であり、建築現場において建物の建造のために互いに接続される。これらの建材は、その接続側において、溝−さね−結合（Ｎｕｔ−Ｆｅｄｅｒ−Ｖｅｒｂｕｎｄ）の方法に従って製作できる補完的なプロフィールを有する。そのようなプレハブ建材によって、建物を短時間で完成することができる。そのような建材の大量生産の可能性によって、それらを低コストで生産できる。
【０００３】
そのような壁または天井建材は、欧州特許第０８０８９５９号明細書によって知られている。この従来技術から知られた建材は、互いに離間した２つのカバー層を有する。シェルとしても呼ばれるカバー層は、間隔を有して互いに配置された複数の支持構造部材（Ｔｒａｇｗｅｒｋｐｒｏｆｉｌｅ）によって離間されている。支持構造部材は、建材の平面を横切る方向に（ｑｕｅｒ  ｚｕｒ  Ｅｂｅｎｅ）延びるリブを有する。これによって、カバー層の間隔が互いに定義される。リブの端部には同一方向に曲げられた支持構造リムが形成されている。それらは、カバー層の平面延長に対して平行に延びる。それぞれ互いが背中合わせで互いに隔たった２つの支持構造部材は、支持空間を形成する。この中にプリストレス可能な補強鉄筋が配置される。支持空間は、続いて通常のコンクリートによって充填される。これは、通常のコンクリートによって充填された支持空間とともに、支柱を形成する。壁側の静力学的（ｓｔａｔｉｓｃｈ）荷重が、この支柱を介して下部のせり台に伝搬される。各建材は、互いに隔たって配置された複数のそのような支柱を有する。
【０００４】
このような方法で形成された支柱の間に存在する空隙は、気泡軽量コンクリートによって充填される。この建材の場合、カバー層は、型枠の形成に役立ち、それによって、気泡軽量コンクリートから成るコア層が鋳造され得る。さらに、カバー層は、遮断機能を担い得る。建材の静力学的特性は、柱状の支持体によって定義される。
【０００５】
これらの既知の建材は、まず、支持構造部材をカバー層の内側に取り付けることによって製造される。続くステップにおいて、向かい合う支持物リムを他のカバー層に結合する。次いで、コンクリート鋳造のための型枠が準備される。続いて、支持空間への補強鉄筋の提供の後に、その中に通常のコンクリートが流し込まれる。次のステップにおいて、軽量コンクリートがコア層のために流し込まれる。
【先行技術文献】
【特許文献】
【０００６】
【特許文献１】欧州特許第０８０８９５９号明細書
【発明の概要】
【０００７】
この従来の建材が壁および／または天井建材に有利に使用され得るとしても、製造がより容易であるのみならず、機能性に関して改善された、そして、それによって適用可能性が改善された、このタイプの建材を駆使できることが望まれる。そのため、本発明の課題は、そのような建材を提案することにある。
【０００８】
この課題は、平行で、かつ互いに間隔を有して配置された複数の支持構造部材が組み込まれた気泡コンクリート複合建材であって、前記支持構造部材は、当該気泡コンクリート複合建材の平面に対して横切る方向に延びるリブを有し、各リブが、該リブの平面から同じ方向に曲がり、隣接する、当該気泡コンクリート複合建材の外面に対して平行またはほぼ平行に延びる支持構造リムを有し、前記支持構造部材の支持構造リムは、支持構造リムの長さにわたって並設されて延びる気泡コンクリート層内に鋳造されている、気泡コンクリート複合建材によって解決される。
【０００９】
これらの説明において使用される用語「気泡コンクリート」においては、その細孔によって通常のコンクリートよりも低いバルク密度を有するようなコンクリートとあると解釈される。細孔は、発泡剤の使用によってそのような気泡コンクリート内に提供され得、それにより、気泡コンクリートは、発泡コンクリートである。また、細孔性、あるいは砕石細孔性気泡コンクリートの使用も全く可能である。２つの実施形態において、軽量コンクリートは、典型的には、１６００ｋｇ／ｍ３未満のバルク密度を有する。
【００１０】
この建材の場合、支持構造リムは気泡コンクリート層内に鋳造される。そのような気泡コンクリートは、軽量コンクリートである。支持構造部材は、気泡コンクリート層によって互いに連結されている。そのため、１つの同一の気泡コンクリート層内に、互いに間隔を置いて配置された複数の支持構造部材が存在する。この建材においては、以下のことが典型的に意図される。すなわち、少なくとも支持構造部材のリブの一方の側部に配置された支持構造リムは、一貫して気泡コンクリート層内に完全に鋳造されており、一方、他の支持構造リムは、外部を向いた表面によって露出可能であり、それによって一部のみが気泡コンクリート層内に鋳造される。他の応用の場合においては、建材の構成に関与する支持構造部材の両方の支持構造リムが気泡コンクリート層内に完全に鋳造されるように設計される。気泡コンクリート層内への支持構造リムの鋳造は、欧州特許第０８０８９５９号明細書によって知られる建材に対して製造のための追加のカバー層が必要でないため、製造を簡略化する。さらに有利なことに、気泡コンクリート層内への支持構造リムの鋳造によって、流し込まれた支持構造部材の一部におけるまだ固化していない気泡コンクリートの面的結合による支持構造部材と気泡コンクリート層との間の結合効果が、明らかに改善される。この結合は、結合溝（Ｖｅｒｋｌａｍｍｅｒｕｎｇｓｎｕｔ）の結合によって、あるいは気泡コンクリート層に役立つ手段を有する支持構造部材の他の結合によって、さらに改善される。少なくとも、隣接するリブの部分を有する支持構造部材の支持構造リムの気泡コンクリート層内への鋳造によって、この建材の場合には、支持構造部材およびコンクリート層は、その相互作用において相互に静力学的に（ｓｔａｔｉｓｃｈ）定義される。すなわち、支持構造部材およびコンクリート層の両要素は、建材の静荷重（Ｓｔａｔｉｋ）に対して、あるいは、建材を介して受け取るまたは逸らす荷重に対して、責任を負う。そのため、この機能性によって、そのような建材は複合建材とみなし得る。
【００１１】
静力学的定義に関する建材の複合特性によって、静力学的要求を満たすために、従来技術の建材の際に必要な静力学的特性の獲得のために少なくとも支えの形状において使用されねばならない通常のコンクリートが、その製造に全く必要でないことは、そのような複合建材にとって有利である。それによって、その建材は、全体に、より少ない重量で製造できる。壁または天井建材として静力学的要求を満たすために、その建材が４００から１２００ｋｇ／ｍ３の気泡コンクリート層の平均バルク密度を有する場合に、十分であると考えられる。それに反して、通常のコンクリートは、約２５００ｋｇ／ｍ３のバルク密度を有する。
【００１２】
そのような建材の製造における利点は、支持構造部材が気泡コンクリート層内に鋳造される点に基づく。そのため、欧州特許第０８０８９５９号明細書による、カバー層への支持構造部材の結合のための単一あるいは複数の固定ステップは省略される。
【００１３】
気泡コンクリート層への支持構造リムの流し込みは、気泡コンクリート層がただ１つだけの、または複数の、例えば２つの気泡コンクリートシェルから形成できる可能性を開く。最後の場合では、各支持構造リムは、別個の気泡コンクリートシェル内に鋳造される。支持構造部材の支持構造リムがそれぞれ１つの気泡コンクリートシェル鋳造される建材においては、２つの気泡コンクリートシェルは、異なるバルク密度を持ち得る。そのため、例えば、より高いバルク密度を有する１つの気泡コンクリートシェルを意図し、一方、他の気泡コンクリートシェルはより低いバルク密度を有することが可能である。より低いバルク密度を有する気泡コンクリートシェルは、建材のそのような実施形態において、とりわけ、遮断機能、特に断熱に関しての機能にふさわしく、一方、より高いバルク密度を有する気泡コンクリートシェルは、静力学的荷重の受け入れ機能の大きな部分を担う。２つの気泡コンクリートシェルを有する建材においては、これらは平面的に互いに隣接して鋳造され得る。異なるバルク密度のため、より低いバルク密度を有する気泡コンクリートシェルは、より高いバルク密度のシェル上に、しかもこれが鋳造された直後で、且つまだ固まっていない状態で、ウエット・オン・ウエット式で（ｆｒｉｓｃｈ  ａｕｆ  ｆｒｉｓｃｈ）提供され得る。そのとき、鋳造された両気泡コンクリートシェルは、以下の結果をもって、同時に固まる。すなわち、それらはその境界において互いに固まり、それによって、両気泡コンクリートシェル間の結合は特に鋳造され、また、固化した部材内において、いかなる境界面は認識できず、単に、１つの気泡コンクリートシェルから他の気泡コンクリートシェルへの遷移領域における密度の変化だけが認識できる。そのような２つの気泡コンクリートシェルを有する建材は、所望される場合、例えば、気泡コンクリートシェル間に遮断層が配置されるべき場合には、互いに離間され得る。典型的には、遮断層が十分に頑丈な場合に、遮断層が設けられる。その際、踏み耐性（Ｔｒｉｔｔｆｅｓｔｉｇｋｅｉｔ）が十分と見なされ、それによって、この上に２つの気泡コンクリートシェルうちの１つが、この材料がそれほど圧縮されることなく、流し込まれ得る。
【００１４】
それぞれの気泡コンクリートシェル内の支持構造リムの結合強化のために、他の支持構造リムの方向に垂直の方向に窪み、支持構造部材の長手方向の長さに沿う、１つ以上の結合溝が提供され得る。これらは、一実施形態によれば、例えば蟻溝形状に、両側においてアンダーカットされている。そのような突起あるいは刻み込みによって、一方では、支持構造リムの形状安定性が向上し、他方では、外側に露出した結合溝は、例えば、暖房システムのパイプのためのホルダーのような留め具をその中に組み込むために使用され得る。ホルダーおよびそれに結合される物体、例えばパイプは、支持構造リムとともに、コンクリートシェルの中に鋳造される。リブもまた、そのような、剛性を高める突起あるいは刻み込みによって強化され得る。一実施形態において、リブは、その長手方向の長さに沿う結合溝によって強化される。その結合溝は、その背部から始まって、支持構造リムの曲がり方向に作成されている。また、そのような結合溝は、両側がアンダーカットされ得る。有利な一実施形態においては、リブの結合溝の幅が、溝の端の境界が気泡コンクリートシェル内に達し、それによってともに鋳造されるように、延びている。これは、支持構造部材と気泡コンクリートシェルとの間の結合に対してポジティブに作用する。さらに、リブおよび／または支持構造リムは、支持構造部材の長手方向の拡張を横切る方向に（ｉｎ  Ｑｕｅｒｒｉｃｈｔｕｎｇ  ｚｕｒ  Ｌａｅｎｇｓｅｒｓｔｒｅｃｋｕｎｇ）作用する結合構造を有ることができる。
【００１５】
建材内において支持構造部材は間隔を置いて配置されている。その際、支持構造部材は、同じ方法で互いに配置され得る。すなわち、支持構造リムは同じ方向を指している。同様に、支持構造部材を、支持構造リムの曲がり方向に関して交互に配置する可能性は存在する。支持構造部材は、そのような建材の適用のために、２つの支持構造部材が互いに背中あわせに配置された状態でボルトによって共に結合されるように、互いが配置され得る。その２つの支持構造部材は、隣接する他の支持構造部材に対してよりもより少ない間隔で互いに配置される。このボルトは、縁に近接する建材の端部内に配置され、外部からアクセス可能である。そのため、ボルトの周りに、建材の持ち上げのための輪（Ｒｉｎｇｓｃｈｌａｕｆｅ）を設けることができる。典型的には、そのような建材は、１つまたは２つのそのような昇降装置取り付け点を有する。また、取り付け点がこの方法で用意されるかどうかに関係なく、支持構造部材は、上記形態および方法において、建材の中に対の状態でグループ化されて配置され得る。
【００１６】
そのような建材は、壁建材または天井建材として利用され得る。建材の意図された形態によれば、典型的には、バルク密度に関して、複数の気泡コンクリートシェルが形成され得る。天井建材としてのコンセプトにおいて、工場での製造に基づいて、天井建材は、支持構造部材の長手延長方向に、しかも後の荷重方向とは逆方向に、均一の曲率を有するようにしてもよい。これは、型枠の対応する構造によって、例えば、作成される建材の長さにわたって延びる湾曲した型枠によって達成できる。これによって、以下のことの達成が意図される。すなわち、建造される建物の内のそのような天井建材の製造に際に、プレハブ天井の際にそうであるように、これは、自重によって、撓もうとすることになる。しかしながら、その湾曲により、平らな形状となる。その点において、さもないと認められる、平坦でない天井上面の結果を伴う天井建材の撓みが、この処置によって回避される。
【００１７】
この気泡コンクリート複合建材の特別な特性によって、これは、単に壁または天井建材として意図されるものではない。さらに、例えば階段のような他の建物構成要素を形成することも可能である。そのような階段建材の内部に存在する支持構造部材は、一実施形態によれば、互いに背中合わせの対になって配置される。支持構造部材対は、階段の段支持部材の接続に適している。階段の段支持部材は、支持構造リムに対してその一端において突き出ており、その端において、典型的には隅に製作された階段の段エッジ保護部材を支える。これは、階段のエッジを効果的に保護する。これは、気泡コンクリート層内に鋳造することができ、しかも、気泡コンクリートの上面とわずかな間隔で、または上面に露出して位置し得る。
【００１８】
以下において、本発明は、添付の図面を参照のもとに、実施形態に基づいて記載される。
【図面の簡単な説明】
【００１９】
【図１】第１の実施形態による建材の概略水平断面図である。
【図２】図１の建材に組み込まれた支持構造部材の正面図である。
【図３】さらなる実施形態による建材の概略水平断面図である。
【図４】さらなる実施形態による建材の概略水平断面図である。
【図５】さらなる実施形態による建材の概略断面図である。
【図６】さらなる建材の上部水平狭側部の概略平面図である。
【図７】さらなる建材の概略垂直断面図である。
【図８】天井建材として形成された、さらなる建材の部分遠近法図である。
【図９】階段建材として形成された、さらなる建材の遠近法図／内部図である。
【発明を実施するための形態】
【００２０】
例示された実施形態では、壁建材として提供された建材１は、鋼鉄製で互いに間隔をおいて配置された複数の支持構造部材２から構成される。これらは、少なくとも１ｍｍの壁厚を有する。例示された実施形態では、支持構造部材は、６００ｍｍ以下の間隔で互いに離間している。支持構造部材２は、バルク密度４５０ｋｇ／ｍ３の気泡軽量コンクリートシェル３内に鋳造されている。支持構造部材２は、建材１の全長にわたって延びている。建材１は壁建材であるため、支持構造部材２の長さは建材の高さに対応している。図２の正面図において、支持構造部材２に関して支持構造２が拡大して示されており、支持構造部材２は、リブ４を有する。リブ４の各端において、支持構造リム（５，５．１）が折れ曲がっている。支持構造リム（５，５．１）は、同一方向に折れ曲げられている。支持構造リム（５，５．１）は、建材１の外面（６，６．１）に平行、あるいは、ほぼ平行に延びている。９０度の角度で曲げられた支持構造リム（５，５．１）は、結合要素によって構成されている。ここでは、蟻溝形状の（ｓｃｈｗａｌｂｅｎｓｃｈｗａｎｚｆｏｅｒｍｉｇ）結合部（７，７．１）と、端側折り曲げ部（８，８．１）とである。蟻溝形状の結合部（７，７．１）は、各支持構造リム（５，５．１）内において、他の支持構造リム（５．１，５．２）の方向に向けて形成され、支持構造部材２の長手方向の全長にわたって延びている。端側折り曲げ部（８，８．１）は、それぞれ他の支持構造リム（５，５．１）の方向を向いている。リブ４内において、同様に、横断面において蟻溝形状の結合部９が形成されている。これら結合構造（７，８，７．１，８．１，９）のために、本実施形態では、支持構造部材２は、全体として気泡軽量コンクリートシェル３内に鋳造されている。この結合によって、建材１は、支持構造部材２と気泡軽量コンクリートシェル３とによって、静力学的に共同で定義される。支持構造部材２と気泡軽量コンクリートシェル３の両要素は、静力学的機能を担う。
【００２１】
図３は、別の建材１０を示す。建材１０においては、図１の実施形態において気泡軽量コンクリートシェル３によって形成された気泡軽量コンクリート層は、２層の気泡軽量コンクリートシェル（１１，１２）によって形成されている。各気泡軽量コンクリートシェル（１１，１２）において、支持構造部材２の支持構造リム（５，５．１）が鋳造されている。気泡軽量コンクリートシェル（１１，１２）のバルク密度は異なる。例示された実施形態では、気泡軽量コンクリートシェル１１は、気泡軽量コンクリートシェル１２よりも高いバルク密度を有する。建材１０は壁建材として提供されている。そのため、建材１０の静力学（Ｓｔａｔｉｋ）は、主として気泡軽量コンクリートシェル１１の支持構造部材２によって定義され、一方、気泡軽量コンクリートシェル１２は、断熱機能をよりいっそう担う。しかしながら、これは、より少ない程度において、建材１０の静力学的定義に関与する。本実施形態において、気泡軽量コンクリートシェル１１のバルク密度は約６００ｋｇ／ｍ３であり、気泡軽量コンクリートシェル１２のバルク密度は３５０ｋｇ／ｍ３である。
【００２２】
建材１０の製造においては、支持構造部材２が所望の配置に提供された後に、まず、高いバルク密度を有する気泡軽量コンクリートシェル１１が対応する型枠に流し込まれる。気泡軽量コンクリートシェル１２は、ウエット・オン・ウエット式で気泡軽量コンクリートシェル１１上に鋳造され得る。そのより低いバルク密度によって、これは、気泡軽量コンクリートシェル１１のまだ硬化していない材料と混ざること、あるいはその中に入り込むことはない。２つの気泡軽量コンクリートシェル（１１，１２）の結合は、特に、２つの気泡軽量コンクリートシェル（１１，１２）の同時の凝結硬化によるのが良い。
【００２３】
図４は、建材１０と同様に、２つの気泡軽量コンクリートシェル（１４，１５）を有する別の建材１３を示す。建材１０との相違は、建材１３における２つの気泡軽量コンクリートシェル（１４，１５）が互いに離間していることにある。本実施形態においては、２つの気泡軽量コンクリートシェル（１４，１５）の間に遮断材層１６が挿入されている。気泡軽量コンクリートシェル（１４，１５）のバルク密度は、気泡軽量コンクリートシェル（１１，１２）のバルク密度に対応し、気泡軽量コンクリートシェル１５はより低いバルク密度を有する方のシェルである。遮断材層１６は、踏み耐性（ｔｒｉｔｔｆｅｓｔ）があり、それゆえ十分に堅い。それによって、気泡軽量コンクリートシェル１４の鋳造の後に、ウエット・オン・ウエット式で遮断材層１６が提供され、続いて気泡軽量コンクリートシェル１５を即座に鋳造することができる。気泡軽量コンクリートシェル（１４，１５）の鋳造は、図３の実施形態と同様に１つのステップで、且つ最初に鋳造された気泡軽量コンクリートシェル１４が硬化する必須の待ち時間がなく、行われ得る。図３から認識できるように、本実施形態においても、支持構造リム（５，５．１）は、それぞれ気泡軽量コンクリートシェル１４または１５内に完全に鋳造されている。
【００２４】
また、建材１７の別の実施形態が図５に示される。この建材１７もまた２つの気泡軽量コンクリートシェル（１８，１９）を有する。建材１７は天井建材として提供される。気泡軽量コンクリートシェル１８は、気泡軽量コンクリートシェル１９よりも高いバルク密度を有し、しかも本実施形態では、約８５０ｋｇ／ｍ３のバルク密度を有する。気泡軽量コンクリートシェル１９は、約５００−６５０ｋｇ／ｍ３のバルク密度を有する。建材１７の上面２０は、その上に提供される床、例えばコンクリート製の床（Ｅｓｔｒｉｃｈ）の土台を形成している。この理由から、この建材１７の構造に組み込まれる支持構造部材２の支持構造リム５は、その上側において露出している。同様に露出する結合溝７によって、上面２０上に塗り付けられるコンクリート製の床（図示されず）のための特別の結合手段が作り出されている。
【００２５】
支持構造部材２の、あるいは天井建材１７の個々の同一物の、他の支持構造リム５．１の個々の結合溝７内には、暖房のために役立つ配管システムのパイプ２２を保持するホルダー２１が配置されている。図５の断面図から認識されるように、ホルダー２１は、これによって保持されるパイプと共に、気泡軽量コンクリートシェル１８内に鋳造されている。建材１７の実施形態が示すように、記載された概念において、支持構造リム（５，５．１）内に存在する結合溝（７，７．１）は、補強に役立つのみ見ならず、本実施形態では保持目的である他の目的にも役立つ。この建材１７では、気泡軽量コンクリートシェル１８は、パイプ２２によって導かれる熱流体の作用の際に放熱器として働く下部シェルを示している。そのため、本実施形態においては、このシェルが放熱機能を有し得るようなバルク密度が使用される。類似の方法において、気泡軽量コンクリートシェル１８に組み込まれた配管システムのパイプ２２は、天井冷却のためにもまた使用され得る。パイプの組み込み、または配管システムの上記概念が、両方の気泡軽量コンクリートシェルにおいて可能であることは自明であり、また、壁暖房の実現との関連で、気泡軽量コンクリートシェル内に鋳造されたそのような配管システムの組み込みが可能であることは自明である。
【００２６】
示されない方法おいて、建材１７は、支持構造部材の長手延長方向において（天井建材１７の張り方向において）、わずかに撓んでいる、しかも、建材１７の長さを、係数２００で割ったものに相当する量：Ｌ／２００［長さの単位］だけ、撓んでいる。この撓みによって、建材１７の上面２０はわずかに凸状に撓んでいる。これによって、天井建材として構想された建材１７は、事前に撓んでおり、しかも、取り付けの際に同様に調節する撓みが、そのとき上面２０を平坦に導く量において撓んでいる。他のそのような建材の遠近法図が図９に描かれている。
【００２７】
図６は別の建材２３を示す。この天井建材として設計された建材２３は、原則的には図１の建材１と同様に構築される。そのため、同一部分は同一の参照符号で示される。建材２３は、建材１とは、２つの支持構造部材２が狭い間隔をおいて互いに配置され、これらの間において、そのリブ中間部の領域内に、解放部２４が設けられている点が異なる。互いに背中合わせの２つの支持構造部材２は、解放部２４を貫いて延びるボルト２５によって互いに結合されている。ボルト２５の露出された軸は、例えば輪である昇降具の接続のための接続点として、建材２３をクレーン等によって持ち上げるために使用され得る。図６においては、例示的に、そのような昇降装置用接続点が示されている。建材２３が単一のそのような昇降装置用接続点のみを有する場合、それは、その長さに関して中心にある。多くの場合、対応する間隔で互いに配置された２つのそのような昇降装置用接続点が意図され得る。
【００２８】
図７は別の建材２６を示す。建材２６は、天井建材として設計され、本実施形態においては、原則的には図１の建材１と同様に構築される。建材２６は、同図から認識されるように、互いにペアで背中合わせに配置されている支持構造部材２の配置によって区別される。建材２６は、隣接する壁（図では破線で示される）とネジで固定できるように設計されている。この場合、壁は、ボルトヘッドおよびターンバックルのアクセスためのグリップを有する。本実施形態では、建材２６と隣接する壁の狭側面との互いに面する側面は、枠部材によって保護されている。また、その枠部材によって、壁の高さを横切る方向におけるポジティブロック結合（Ｆｏｒｍｓｃｈｌｕｓｓ）が得られる。この理由から、図において建材２６の右端に配置された２つの支持構造部材２の間に、打ち抜き穴２７が提供される。打ち抜き穴２７は、建材２６の鋳造のための型枠内のコルゲート管部によって提供される。コルゲート管挿入部２８は、建材２６の一部分である。建材２６によるこの垂直打ち抜き穴２７によって、天井建材２６をその下層、および／または上層とネジ締めすることができる。そのような建材接続は、とりわけ、地震の危険のある地域に建造される建物に有用である。
【００２９】
図８は、天井建材として設計された別の建材２９を示す。図においては建材２９の一部のみが示されている。この建材２９は、下層上に載置された状態で図式化されて説明され、スパンにわたって凸状に撓んでいる。図８は、クレーンによって運ばれた建材２９が完全に切り離される前の建材２９を示している。下側頂点３０の、同建材の両端部を結んだ仮想線３１からの距離は、Ｌ／２００の値に相当し、ここで、Ｌは、建材２９のスパン方向の長さである。
【００３０】
上記気泡コンクリート建材の複合特性により、その静力学的に定義された機能に関連して、建材設計の上記概念は、他の建材、例えば、階段建材にも適している。そのような階段建材３２が図９に示されている。図９は、階段建材３２を、可視部分（上部分）と、内部視部分（下部分）とにおいて示している。建材３２は、気泡軽量コンクリート層３３内に支持構造部材２を組み込むという、既に上記建材において説明されたコンセプトに応じて形成されている。例示された階段建材３２では、２つの支持構造部材対３４が互いに離間して配置されている。各支持構造部材対３４は、建材３２の隣接する側端から離れている。支持構造部材対の両支持構造部材２は、背中合わせで、互いに間隔を置いて配置されている。これらの間に、階段の段支持部材３５が配置され、しかも、支持構造部材２の長手方向に角度をつけて配置されている。これは、形成される階段の段３６の支持に役立ち、また、階段の段支持部材３５の露出端部に位置する階段の段エッジ保護部材３７の支持に役立つ。階段の段エッジ保護部材３７は、階段建材３２の幅にほぼ相応する幅を有する。支持構造部材対３４は、これに保持される階段の段支持部材３５および階段の段エッジ保護部材３７と共に、まだ流動可能な気泡軽量コンクリートが上記建材を含む型枠内に提供される前に、対応する準備された型枠内に配置される。気泡軽量コンクリートの固化の後に、階段建材３２が完成する。
【００３１】
この建材３２において、階段の段３６を介して建材３２内に伝わる力は、階段の段支持部材３５を介して支持構造部材２内および気泡軽量コンクリート３３内に伝わり、また、これらを介して建材３２を支持する土台に伝わる。本実施形態において、建材３２の複合特性は、特に明らかである。
【００３２】
本発明を、実施形態に基づいて記載した。当業者にとっては、請求項の範囲を逸脱することなく、発明を請求項の範囲内において変更するさらなる様々な可能性が、請求項がこれらの実施形態の文脈において説明されることなく、存在する。
【符号の説明】
【００３３】
１  建材
２  支持構造部材
３  気泡軽量コンクリートシェル
４  リブ
５，５．１  支持構造リム
６，６．１  外面
７，７．１  結合溝
８，８．１  折り曲げ部
９  結合溝
１０  建材
１１  気泡軽量コンクリートシェル
１２  気泡軽量コンクリートシェル
１３  建材
１４  気泡軽量コンクリートシェル
１５  気泡軽量コンクリートシェル
１６  遮断材層
１７  建材
１８  気泡軽量コンクリートシェル
１９  気泡軽量コンクリートシェル
２０  上面
２１  ホルダー
２２  パイプ
２３  建材
２４  解放部
２５  ボルト
２６  建材
２７  打ち抜き穴
２８  コルゲート管挿入部
２９  建材
３０  頂点
３１  線
３２  階段建材
３３  気泡軽量コンクリート層
３４  支持構造部材対
３５  階段の段支持部材
３６  階段の段
３７  階段の段エッジ保護部材
【図１】
2020509270.tif 000003
【図２】
2020509270.tif 000004
【図３】
2020509270.tif 000005
【図４】
2020509270.tif 000006
【図５】
2020509270.tif 000007
【図６】
2020509270.tif 000008
【図７】
2020509270.tif 000009
【図８】
2020509270.tif 000010
【図９】
2020509270.tif 000011
【国際調査報告】
2020509270.tif 000012
2020509270.tif 000013
2020509270.tif 000014
2020509270.tif 000015